(57)【要約】【課題】柱上変圧器の大きさに関わらず柱上変圧器を腕金に取り付けることのできる柱上変圧器の取付構造を提供する。【解決手段】電柱Ｐに設置された変台５０の上に載置された柱上変圧器１０６を電柱Ｐの腕金Ｕに係止させる係止機構１０を備える柱上変圧器の取付構造１において、係止機構１０は、帯状に形成されて複数の係合孔が長尺方向に配置形成されたバンド体１２、バンド体１２に形成された複数の係合孔１２ｃのうち任意の係合孔１２ｃに係合可能な留め部２８を一端側に有するバンド体長調整金具２０、バンド体長調整金具２０の他端に結合可能な結合側端部３０ｂ及び腕金Ｕに貫通してネジ止めされる取付側端部３０ａを有する第１固定部材３０、バンド体１２の他端に結合可能な結合側端部３６ｂ及び腕金Ｕに貫通してネジ止めされる取付側端部３６ａを有する第２固定部材３６、を備える。【選択図】図１
2011087344.tif 000002
【特許請求の範囲】
【請求項１】
電柱に設置された支持部の上に載置された柱上変圧器を前記電柱の腕金に係止させる係止機構を備える柱上変圧器の取付構造において、
前記係止機構は、
帯状に形成され、かつ複数の係合孔が長尺方向に配置形成されたバンド体と、
該バンド体の前記複数の係合孔のうち任意の係合孔に係合可能な留め部を一端側に有するバンド体長調整金具と、
該バンド体長調整金具の他端に結合可能な結合側端部及び前記腕金に貫通してネジ止めされる取付側端部を有する第１固定部材と、
前記バンド体の他端に結合可能な結合側端部及び前記腕金に貫通してネジ止めされる取付側端部を有する第２固定部材と、
を備えることを特徴とする柱上変圧器の取付構造。
【請求項２】
前記留め部は、
前記バンド体長調整金具と前記バンド体の前記複数の係合孔のうち任意の係合孔とを貫通して前記バンド体長調整金具と前記バンド体とを係合する係合ボルト部材と、
前記バンド体調整金具の一端側における前記係合ボルト部材に対して更に先端側に形成され、前記バンド体に係合可能な係合爪と、を備え、
該係合爪が前記バンド体の係合孔のうち任意の係合孔に係合して、前記係合ボルト部材が係合すべき前記任意の係合孔が設定されることを特徴とする請求項１に記載の柱上変圧器の取付構造。
【請求項３】
前記第１固定部材は、
前記バンド体長調整金具の他端に結合可能なボルト頭部及び前記腕金に貫通してネジ止めされるボルト軸部を有する第１ボルトと、
前記腕金を貫通した前記ボルト軸部に螺合されるとともに螺合位置の調整により前記ボルト軸部の前記腕金への貫通量を規制する第１ボルト用ナットと、を備え、
前記第２固定部材は、
前記バンド体の他端に結合可能なボルト頭部及び前記腕金に貫通してネジ止めされるボルト軸部を有する第２ボルトと、
前記腕金を貫通した前記ボルト軸部に螺合されるとともに螺合位置の調整により前記ボルト軸部の前記腕金への貫通量を規制する第２ボルト用ナットと、を備える、
ことを特徴とする請求項１または２に記載の柱上変圧器の取付構造。
【請求項４】
前記バンド体長調整金具は、
前記バンド体による前記柱上変圧器の巻着方向に延在するガイド突起が形成され、
前記バンド体が前記ガイド突起に沿って前記バンド体長調整金具に配置されて前記バンド体による前記柱上変圧器の巻着位置の変位が規制されることを特徴とする請求項１〜３のいずれか１項に記載の柱上変圧器の取付構造。
【発明の詳細な説明】
【技術分野】
【０００１】
本発明は、柱上変圧器の取付構造、特に、電柱の腕金に取り付けられる柱上変圧器の取付構造に関する。
【背景技術】
【０００２】
一般に、柱上変圧器を送電設備、例えば電柱に取り付ける場合は、複数の棒状部材が井桁状に組まれて形成された台座、及びこの台座を下方から支持する支持部材を備える変台とよばれる支持部が形成されて、電柱に柱上変圧器が設置される。この変台に柱上変圧器が載置されて、直径４ｍｍ程度の鉄線によって、柱上変圧器が電柱に縛着されて固定される。
【０００３】
一方、電柱に取り付けられた腕金を用いて、電柱に柱上変圧器を設置する場合は、電柱における腕金の下方部分に変台が設置され、この変台の上に複数の柱上変圧器が載置されたうえで、直径４ｍｍ程度の鉄線によって、柱上変圧器が腕金に縛着されて固定される。
【０００４】
また、電柱に変圧器保持用の取付部材を取り付けて、電柱に柱上変圧器を設置する技術が知られている。この変圧器保持用の取付部材を用いて、柱上変圧器を保持する変圧器保持具が、特許文献１において開示されている。特許文献１で開示される変圧器保持具を、図５に基づいて説明する。
【０００５】
図示のように、変圧器保持具１００は、図示しない腕金の上面に倣った形状に形成された腕金保持部１０２を備え、腕金保持部１０２の背面１０２ａには、電柱Ｐの外周面に沿って周設される環状の腕金装柱部１０４が設けられている。この腕金装柱部１０４において変圧器保持具１００が電柱Ｐに取り付けられる。
【０００６】
腕金保持部１０２の両端には、腕金保持部１０２から上方に突出する突起１０２ｂが形成され、この突起１０２ｂが、柱上変圧器１０６の側面１０６ａに形成された平面視略コ字状の係止部１０６ｂに下方から係合して、柱上変圧器１０６が変圧器保持具１００に保持される。
【０００７】
この変圧器保持具１００によれば、腕金装柱部１０４において変圧器保持具１００を電柱Ｐに取り付けたうえで、腕金保持部１０２の突起１０２ａを柱上変圧器１０６の係止部１０６ｂに下方から係合させる簡易な手法によって、柱上変圧器１０６を腕金に保持させることが可能となる。
【先行技術文献】
【特許文献】
【０００８】
【特許文献１】特開２００８−２３６９８４号公報
【発明の概要】
【発明が解決しようとする課題】
【０００９】
柱上変圧器を鉄線で電柱に縛着させる手法によると、鉄線を複数回巻いて縛着させる必要があるので、作業員による高所での複雑な取付作業が要求され、作業の迅速性が損われるとともに、取付作業の際の高度の注意力が必要になる。従って、作業員には、高所作業時における過大な作業負担が増大されることが懸念される。また、かかる作業負担の増大に伴って想起される、縛着作業時における注意力の欠如によって、不測の事態が招来されることも懸念される。
【００１０】
また、特許文献１に開示される変圧器保持具１００によると、柱上変圧器１０６の電柱Ｐへの保持は、腕金保持部１０２の突起１０２ｂを柱上変圧器１０６の係止部１０６ｂに下方から係合させることのみで行われるので、柱上変圧器１０６の取付安定性になお課題が残されている。
【００１１】
本発明は、上記課題に鑑みてなされたものであり、その目的は、簡易な取付作業によって柱上変圧器を腕金に取り付けることができ、かつ、柱上変圧器の取付安定性が向上される柱上変圧器の取付構造を提供することにある。
【課題を解決するための手段】
【００１２】
上記目的を達成するための請求項１に記載の発明による柱上変圧器の取付構造は、電柱に設置された支持部の上に載置された柱上変圧器を前記電柱の腕金に係止させる係止機構を備える柱上変圧器の取付構造において、前記係止機構は、帯状に形成され、かつ複数の係合孔が長尺方向に配置形成されたバンド体と、該バンド体の前記複数の係合孔のうち任意の係合孔に係合可能な留め部を一端側に有するバンド体長調整金具と、該バンド体長調整金具の他端に結合可能な結合側端部及び前記腕金に貫通してネジ止めされる取付側端部を有する第１固定部材と、前記バンド体の他端に結合可能な結合側端部及び前記腕金に貫通してネジ止めされる取付側端部を有する第２固定部材と、を備えることを特徴とする。
【００１３】
この構成によれば、バンド体長調整金具の留め部を係合させる任意の係合孔を選択することで、バンド体の係合位置を容易に調整することができる。従って、作業員による高所での複雑な取付作業を経ることなく、柱上変圧器をバンド体によって腕金に強固に巻着させて、柱上変圧器を腕金に簡易に取り付けることが可能となり、作業負担が大幅に軽減される。また、電柱に設置された支持部の上に柱上変圧器が載置されたうえで、バンド体によって柱上変圧器が腕金に取り付けられるので、高度の取付安定性が得られる。
【００１４】
更に、第１固定部材及び第２固定部材が腕金に貫通してネジ止めされるので、このネジを調節することで、柱上変圧器の寸法に合わせて第１固定部材及び第２固定部材の腕金への貫通量を柱上変圧器の寸法に合わせた適宜な位置に微調整して、柱上変圧器を腕金に取り付けることができる。
【００１５】
請求項２に記載の発明による柱上変圧器の取付構造は、請求項１に記載の柱上変圧器の取付構造において、前記留め部は、前記バンド体長調整金具と前記バンド体の前記複数の係合孔のうち任意の係合孔とを貫通して前記バンド体長調整金具と前記バンド体とを係合する係合ボルト部材と、前記バンド体調整金具の一端側における前記係合ボルト部材に対して更に先端側に形成され、前記バンド体に係合可能な係合爪と、を備え、該係合爪が前記バンド体の係合孔のうち任意の係合孔に係合して、前記係合ボルト部材が係合すべき前記任意の係合孔が設定されることを特徴とする。
【００１６】
この構成によれば、係合ボルト部材が係合すべき任意の係合孔に係合することが可能となるように、係合爪を任意の係合孔に係合させることができるので、係合爪の係合孔への係合によって、係合ボルト部材が係合すべき係合孔への位置決めがなされる。従って、係合ボルト部材によるバンド体の係合が容易に実現されるので、柱上変圧器の取付作業時における作業員の作業負担の軽減、及び作業時間の短縮が図られる。その結果、取付作業時の安全性を高度に維持することができる。
【００１７】
請求項３に記載の発明による柱上変圧器の取付構造は、請求項１または２に記載の柱上変圧器の取付構造において、前記第１固定部材は、前記バンド体長調整金具の他端に結合可能なボルト頭部及び前記腕金に貫通してネジ止めされるボルト軸部を有する第１ボルトと、前記腕金を貫通した前記ボルト軸部に螺合されるとともに螺合位置の調整により前記ボルト軸部の前記腕金への貫通量を規制する第１ボルト用ナットと、を備え、前記第２固定部材は、前記バンド体の他端に結合可能なボルト頭部及び前記腕金に貫通してネジ止めされるボルト軸部を有する第２ボルトと、前記腕金を貫通した前記ボルト軸部に螺合されるとともに螺合位置の調整により前記ボルト軸部の前記腕金への貫通量を規制する第２ボルト用ナットと、を備える、ことを特徴とする。
【００１８】
この構成は、請求項１の第１固定部材及び第２固定部材の内容を具体的に明らかにしたものであり、バンド体における留め部による係合位置を調整することなく、柱上変圧器の寸法に合わせてボルト軸部の腕金への貫通量を柱上変圧器の寸法に合わせた適宜な位置に微調整したうえで、第１ボルト用ナット及び第２ボルト用ナットによるネジ止めを行うことで、柱上変圧器を腕金に取り付けることができる。
【００１９】
また、金属製のバンド体及びボルト、ナット等の基本的な機械要素によって簡易に構成することができ、かつ部材点数も少数に抑制することができるので、故障の可能性が低減されるとともに、製造コストを抑制したうえで柱上変圧器の取付構造を構成することができる。
【００２０】
請求項４に記載の発明による柱上変圧器の取付構造は、請求項１〜３のいずれか１項に記載の柱上変圧器の取付構造において、前記バンド体長調整金具は、前記バンド体による前記柱上変圧器の巻着方向に延在するガイド突起が形成され、前記バンド体が前記ガイド突起に沿って前記バンド体長調整金具に配置されて前記バンド体による前記柱上変圧器の巻着位置の変位が規制されることを特徴とする。
【００２１】
この構成によれば、バンド体による柱上変圧器の巻着方向に延在するガイド突起が形成されており、このガイド突起に沿ってバンド体がバンド体長調整金具に配置されるので、柱上変圧器にバンド体を強固に巻着させて留め部でバンド体を係合させる際に、柱上変圧器におけるバンド体による巻着が適正な位置に規制される。従って、バンド体を柱上変圧器に巻着させる際に柱上変圧器に作用する押し付け荷重が、バンド体の表面に沿って均等に分散されるので、柱上変圧器が腕金に確実に取り付けられる。また、バンド体を柱上変圧器に巻着させる際に、バンド体が捩れてしまうことが回避される。
【発明の効果】
【００２２】
この発明によれば、バンド体長調整金具の留め部を係合させる任意の係合孔を選択することで、バンド体の係合位置を容易に調整することができる。従って、作業員による高所での複雑な取付作業を経ることなく、柱上変圧器をバンド体によって腕金に強固に巻着させて、柱上変圧器を腕金に簡易に取り付けることが可能となり、作業負担が大幅に軽減される。また、電柱に設置された支持部の上に柱上変圧器が載置されたうえで、バンド体によって柱上変圧器が腕金に取り付けられるので、高度の取付安定性が得られる。
【００２３】
更に、第１固定部材及び第２固定部材が腕金に貫通してネジ止めされるので、このネジを調節することで、柱上変圧器の寸法に合わせて第１固定部材及び第２固定部材の腕金への貫通量を柱上変圧器の寸法に合わせた適宜な位置に微調整して、柱上変圧器を腕金に取り付けることができる。
【図面の簡単な説明】
【００２４】
【図１】本発明の実施の形態に係る柱上変圧器の取付構造の概略を説明する図である。
【図２】同じく、本実施の形態に係る柱上変圧器の取付構造における係止機構の概略を説明する図であり、図２（ａ）は正面図、図２（ｂ）は側面図である。
【図３】同じく、本実施の形態に係る柱上変圧器の取付構造を用いて柱上変圧器を電柱の腕金に取り付ける状態を説明する図である。
【図４】本実施の形態に係る柱上変圧器の取付構造によって、２基の柱上変圧器が電柱の腕金に取り付けられた状態を示す図であり、図４（ａ）は正面図、図４（ｂ）は側面図である。
【図５】従来の変圧器保持具の概略を説明する図である。
【発明を実施するための形態】
【００２５】
次に、本発明の実施の形態について、図１〜図４に基づいて詳細に説明する。なお、図１〜図４において、図５と同様の構成要素には同一の符号を付して、その詳細な説明を省略する。
【００２６】
図１は、本発明に係る柱上変圧器の取付構造１によって、柱上変圧器１０６が電柱Ｐの腕金Ｕに取り付けられた状態の概略を説明する図である。図示のように、柱上変圧器の取付構造１は、係止機構１０及び支持部となる変台５０を備える。
【００２７】
まず、係止機構１０について説明する。係止機構１０は、一端１２ａ及び他端１２ｂを有する帯状に形成されたバンド体１２を備え、柱上変圧器１０６は、変台５０に載置されたうえで、その周面１０６ａにおいてバンド体１２に巻着されている。バンド体１２の一端１２ａにはバンド体長調整金具２０を介して第１固定部材、本実施の形態では第１ボルト３０が結合され、他端１２ｂには第２固定部材、本実施の形態では第２ボルト３６が結合される。第１ボルト３０の取付側端部となるボルト軸部３０ａ及び第２ボルト３６の取付側端部となるボルト軸部３６ａは腕金Ｕに貫通しており、それぞれのボルト軸部３０ａ及び３６ａがネジ止めされて、柱上変圧器１０６が電柱Ｐの腕金Ｕに取り付けられる。
【００２８】
図２は、柱上変圧器の取付構造１における係止機構１０の概略を説明する図であり、図２（ａ）は正面図、図２（ｂ）は側面図である。図２（ａ）で示すように、バンド体１２は、撓み変形が容易な金属で帯状に形成され、その長尺方向に、複数の矩形の係合孔１２ｃが配置形成されている。
【００２９】
バンド体１２の一端１２ａ側には、バンド体長調整金具２０が係合されている。バンド体長調整金具２０は、基部２２及び係合ボルト部材２８を備える。図２（ｂ）で示すように、基部２２は、一端２４ａから延在して平板状に形成された基部第１面２４、及び基部第１面２４から連続形成されて屈曲点２２ａを介して延在する平板状に形成されるとともに更に上方に屈曲して他端２６ａが形成された基部第２面２６を備え、側面視略く字状に板金形成される。この基部２２には、他端２６ａから基部第１面２４の略中央領域まで延在するガイド突起２２ｂが、基部２２の両外側縁において形成される。
【００３０】
基部第１面２４は、その略中央部分に図示しないボルト孔が穿孔され、このボルト孔より更に先端側である一端２４ａに、バンド体１２側に突出する係合爪となるフック２４ｂが形成される。そして、この基部第１面２４上に、ガイド突起２２ｂに沿ってバンド体１２が配置され、バンド体１２に形成された複数の係合孔１２ｃのうち任意の係合孔１２ｃがボルト孔に合わせて位置決めされて、ボルト孔及び任意の係合孔１２ｃに係合ボルト部材２８のボルト２８ａが挿入されて貫通する。そして、ボルト２８ａにワッシャ２８ｃを介してナット２８ｂがネジ止めされて、バンド体１２にバンド体長調整金具２０が係合される。すなわち、係合ボルト部材２８とフック２４ｂとによって留め部が構成される。
【００３１】
基部第２面２６に形成された他端２６ａには、図示しない第１ボルト挿入孔が穿孔される。第１ボルト３０は、取付側端部となるボルト軸部３０ａ及び結合側端部となるボルト頭部３０ｂを備え、ボルト軸部３０ａがネジ切り形成される。この第１ボルト３０が基部第２面２６の第１ボルト挿入孔に挿入される。
【００３２】
一方、バンド体１２の他端１２ｂには、第２ボルト３６が挿入される図示しない第２ボルト挿入孔が形成された第２ボルト装着部４０が結合されている。第２ボルト３６は、取付側端部となるボルト軸部３６ａ及び結合側端部となるボルト頭部３６ｂを備え、ボルト軸部３６ａがネジ切り形成される。この第２ボルト３６が装着部４０の第２ボルト挿入孔に挿入される。
【００３３】
次に、変台５０について説明する。変台５０は、台座５２及び支持部材５４を備える。台座５２は、複数の棒状部材５２ａが井桁状に組まれて形成され、所定の取付部材によって、電柱Ｐにおける腕金Ｕの下方部分に取り付けられている。そして、この台座５２の下面と電柱Ｐとの間に支持部材５４が架設されて、台座５２が電柱Ｐに支持される。
【００３４】
次に、本実施の形態に係る柱上変圧器の取付構造１を用いて、柱上変圧器１０６を電柱Ｐの腕金Ｕに取り付ける手順について説明する。
【００３５】
図３は、本実施の形態に係る柱上変圧器の取付構造１を用いて柱上変圧器１０６を電柱Ｐの腕金Ｕに取り付ける状態を説明する図である。まず、柱上変圧器１０６が取り付けられるべき腕金Ｕを、所定の取付部材によって電柱Ｐに取り付ける。このとき、電柱Ｐに取り付けられた既存の腕金Ｕをそのまま用いることができる場合は、新たな腕金Ｕを電柱Ｐに取り付ける作業を省略することができる。
【００３６】
次に、電柱Ｐに、変台５０を取り付ける。このとき、電柱Ｐに取り付けられた既存の変台５０をそのまま用いることができる場合は、新たな変台５０を電柱Ｐに取り付ける作業を省略することができる。
【００３７】
そして、この台座５２の上面に複数の柱上変圧器１０６、本実施の形態では２基の柱上変圧器１０６を載置する。
【００３８】
次に、第１ボルト３０のボルト軸部３０ａに第１ロックナット３２ｂを取り付けるとともに、第２ボルト３６のボルト軸部３６ａに第２ロックナット３８ｂを取り付ける。その上で、柱上変圧器の取付構造１のバンド体１２を柱上変圧器１０６の周面１０６ａに巻着させる。このとき、柱上変圧器１０６の周面１０６ａへのバンド体１２の巻着が比較的緩やかとなる係合孔１２ｃに、係合ボルト部材２８によってバンド体長調整金具２０とバンド体１２とを係合させておく。そして、ボルト軸部３０ａを腕金Ｕに形成された第１貫通孔Ｕ３に挿入して、第１ロックナット３２ｂを腕金Ｕの表面Ｕ１に当接させ、ボルト軸部３０ａを腕金Ｕに貫通させるとともにその先端部分を腕金Ｕの裏面Ｕ２から突出させる。
【００３９】
同様に、ボルト軸部３６ａを腕金Ｕに形成された第２貫通孔Ｕ４に挿入して、第１ロックナット３８ｂを腕金Ｕの表面Ｕ１に当接させ、ボルト軸部３６ａを腕金Ｕに貫通させるとともにその先端部分を腕金Ｕの裏面Ｕ２から突出させる。これにより、柱上変圧器の取付構造１による柱上変圧器１０６の腕金Ｕへの仮止めがなされる。
【００４０】
その後、係合ボルト部材２８のボルト２８ａとナット２８ｂの螺合を解除して、バンド体１２とバンド体長調整金具２０との係合を解除させる。そして、変圧器１０６の寸法に応じて、バンド体長調整金具２０の基部２２上に、ガイド突起２２ｂに沿ってバンド体１２を配置する。このとき、基部２２に形成されたフック２４ｂを、バンド体１２に形成された複数の係合孔１２ｃのうち係合ボルト部材２８が係合すべき係合孔１２ｃに係合可能となる位置に配置される任意の係合孔１２ｃに係合させる。すなわち、バンド１２によって柱上変圧器１０６を腕金Ｕに緩みなく取り付けることができる係合孔１２ｃに、係合ボルト部材２８が係合することが可能となるように、フック２４ｂを任意の係合孔１２ｃに係合させる。
【００４１】
フック２４ｂを任意の係合孔１２ｃに係合させることで、係合ボルト部材２８が係合すべき任意の係合孔１２ｃが設定されて、ボルト孔に、バンド体１２に形成された複数の係合孔１２ｃのうち任意の係合孔１２ｃが位置決めされるので、ボルト孔及び任意の係合孔１２ｃにボルト２８ａを挿入して貫通させる。そして、ボルト２８ａにワッシャ２８ｃを介してナット２８ｂをネジ止めする。その後、腕金Ｕの裏面Ｕ２から突出したボルト軸部３０ａ、３６ａの先端部分にワッシャ３２ｃ、３８ｃを介在させて第１ボルト用ナット３２ａ、第２ボルト用ナット３８ａを用いてネジ止めする。
【００４２】
このとき、バンド体長調整金具２０の基部２２は側面視略く字状に形成されているので、係合ボルト部材２８によるバンド体１２への係合の際に係合ボルト部材２８が柱上変圧器１０６の周面１０６ａに当接することが回避され、柱上変圧器１０６の周面１０６ａに損傷が付与されることが回避される。
【００４３】
係止機構１０による柱上変圧器１０６の腕金Ｕへの取付の調整は、第１ボルト３０及び第２ボルト４０のボルト軸部３０ａ、３６ａに螺嵌された第１ロックナット３２ｂ、第２ロックナット３８ｂをボルト頭部３０ｂ、３６ｂ側に移行させた上で、柱上変圧器１０６の寸法に合わせてボルト軸部３０ａ、３６ａの腕金Ｕへの貫通量を適宜な位置に調整して、第１ボルト用ナット３２ａ及び第２ボルト用ナット３８ａでネジ止めすることで、バンド体１２における係合ボルト部材２８による係合位置を調整することなく、柱上変圧器１０６の寸法に合わせて柱上変圧器１０６を腕金Ｕに取り付けることができる。
【００４４】
上記手順によって、柱上変圧器１０６が電柱Ｐの腕金Ｕに取り付けられる。図４は、本実施の形態に係る柱上変圧器の取付構造１によって、２基の柱上変圧器１０６が電柱Ｐの腕金Ｕに取り付けられた状態を示す図であり、図４（ａ）は正面図、図４（ｂ）は側面図である。
【００４５】
以上のような構成とすることにより、バンド体長調整金具２０の係合ボルト部材２８を係合させる任意の係合孔１２ｃを選択することで、バンド体１２の係合位置を容易に調整することができる。従って、作業員による高所での複雑な取付作業を経ることなく、柱上変圧器１０６をバンド体１２によって腕金Ｕに強固に巻着させて、柱上変圧器１０６を腕金Ｕに簡易に取り付けることが可能となり、作業負担が大幅に軽減される。また、電柱Ｐに設置された変台５０の上に柱上変圧器１０６が載置されたうえで、バンド体１２によって柱上変圧器１０６が腕金Ｕに取り付けられるので、例えば、５ｋＶＡ程度の小型の柱上変圧器であっても、あるいは３０ｋＶＡ程度の標準的な柱上変圧器であっても、高度の取付安定性をもって取り付けることができる。
【００４６】
また、係合ボルト部材２８が係合すべき任意の係合孔１２ｃに係合することが可能となるように、フック２４ｂを任意の係合孔１２ｃに係合させることができるので、フック２４ｂの係合孔１２ｃへの係合によって、係合ボルト部材２８が係合すべき係合孔１２ｃへの位置決めがなされて、作業効率を向上させることができる。従って、係合ボルト部材２８によるバンド体１２の結合が容易に実現されるので、柱上変圧器１０６の取付作業時における作業員の作業負担の軽減、及び作業時間の短縮が図られる。その結果、取付作業時の安全性を高度に維持することができる。
【００４７】
そして、第１ボルト３０及び第２ボルト４０のボルト軸部３０ａ、３６ａに螺嵌された第１ロックナット３２ｂ、第２ロックナット３８ｂをボルト頭部３０ｂ、３６ｂ側に移行させた上で、柱上変圧器１０６の寸法に合わせてボルト軸部３０ａ、３６ａの腕金Ｕへの貫通量を適宜な位置に微調整して、第１ボルト用ナット３２ａ及び第２ボルト用ナット３８ａでネジ止めすることで、バンド体１２における係合ボルト部材２８による係合位置を調整することなく、柱上変圧器１０６の寸法に合わせて柱上変圧器１０６を腕金Ｕに取り付けることができる。
【００４８】
また、金属製のバンド体及びボルト、ナット等の基本的な機械要素によって簡易に構成することができ、かつ部材点数も少数に抑制することができるので、故障の可能性が低減されるとともに、製造コストを抑制したうえで柱上変圧器の取付構造１を構成することができる。
【００４９】
更に、バンド体長調整金具２０の両外側縁にガイド突起２２ｂが形成されており、このガイド突起２２ｂに沿ってバンド体１２が配置されるので、柱上変圧器１０６の周面１０６ａにバンド体１２を強固に巻着させて係合ボルト部材２８でバンド体１２を係合させる際に、柱上変圧器１０６の周面１０６ａにおけるバンド体１２による巻着が適正な位置に規制される。従って、バンド体１２を柱上変圧器１０６に巻着させる際に柱上変圧器１０６に作用する押し付け荷重が、バンド体１２の表面に沿って均等に分散されるので、柱上変圧器１０６が腕金Ｕに確実に取り付けられる。また、バンド体１２を柱上変圧器１０６の周面１０６ａに巻着させる際に、バンド体１２が捩れてしまうことが回避される。
【００５０】
なお、本発明は上記実施の形態に限定されることはなく、発明の趣旨を逸脱しない範囲で種々変更可能である。例えば、上記実施の形態では、柱上変圧器の取付構造１のバンド体１２を柱上変圧器１０６の周面１０６ａに当接させたうえで第１ボルト３０及び第２ボルト４０を腕金Ｕに取り付ける場合を例として説明したが、第１ボルト３０及び第２ボルト４０を腕金Ｕに取り付けてからバンド体１２とバンド体長調整金具２０とを係合させてもよい。
【００５１】
また、上記実施の形態では、バンド体長調整金具２０に第１ボルト３０が結合された場合を例として説明したが、バンド体長調整金具２０をバンド体１２の他端側に係合させて、バンド体長調整金具２０に第２ボルト３６を結合させてもよい。
【符号の説明】
【００５２】
１      柱上変圧器の取付構造
１０    係止機構
１２    バンド体
１２ａ  一端
１２ｂ  他端
１２ｃ  係合孔
２０    バンド体長調整金具
２２    基部
２２ｂ  ガイド突起
２４ａ  一端
２４ｂ  フック（係合爪）
２６ａ  他端
２８    係止ボルト部材（留め部）
３０    第１ボルト（第１固定部材）
３０ａ  ボルト軸部（取付側端部）
３０ｂ  ボルト頭部（結合側端部）
３２ａ  第１ボルト用ナット
３２ｂ  第１ロックナット
３６    第２ボルト（第２固定部材）
３６ａ  ボルト軸部（取付側端部）
３６ｂ  ボルト頭部（結合側端部）
３８ａ  第２ボルト用ナット
３８ｂ  第２ロックナット
５０    変台
５２    台座
１０６  柱上変圧器
Ｐ      電柱
Ｕ      腕金
【図１】
2011087344.tif 000003
【図２】
2011087344.tif 000004
【図３】
2011087344.tif 000005
【図４】
2011087344.tif 000006
【図５】
2011087344.tif 000007